(57)【要約】【課題】本発明は多機能コップを開示した。【解決手段】コップ本体とコップ蓋を含み、前記コップ本体の内部にはお茶を蓄える貯水チャンバが設けられ、前記コップ蓋の内部には上方に開口した移動溝が設けられ、前記移動溝の内部には下端が前記貯水チャンバの内部に位置しているストローが設けられ、前記移動溝の左端壁の中には上方に開口した移動チャンバが設けられ、前記移動溝の内部には左端が前記移動チャンバの内部に位置しており、また前記移動溝を封ずることができる移動板が設けられ、前記移動チャンバの内部には前記移動板をリセットさせる移動バネが設けられ、前記コップ蓋の内部には下方に開口した昇降溝が二つ設けられ、お茶を飲むとき装置が自動的にコップの中のお茶を均一に撹拌する。【選択図】図１
2020171661.tif 000002
【特許請求の範囲】
【請求項１】
コップ本体とコップ蓋を含み、前記コップ本体の内部にはお茶を蓄える貯水チャンバが設けられ、前記コップ蓋の内部には上方に開口した移動溝が設けられ、前記移動溝の内部には下端が前記貯水チャンバの内部に位置しているストローが設けられ、前記移動溝の左端壁の中には上方に開口した移動チャンバが設けられ、前記移動溝の内部には左端が前記移動チャンバの内部に位置しており、また前記移動溝を封ずることができる移動板が設けられ、前記移動チャンバの内部には前記移動板をリセットさせる移動バネが設けられ、前記コップ蓋の内部には下方に開口した昇降溝が二つ設けられ、前記昇降溝の内部には重い物が設けられ、前記重い物の上端には前記移動板の左端に連結されており、且つ前記移動板にコントロールされるロープが設けられ、前記コップ蓋の内部には前記移動板の右端をロックするロック機構が設けられ、前記ロック機構は収納溝と前記収納溝の内部に位置しており、且つ片端が前記移動板と連結するロックブロックを含み、前記ロックブロックの前後端面にはいずれも台形ブロックが固定的に連結され、前記ロックブロックの内部には前記ロックブロックの前後端壁を貫通する並進チャンバが設けられ、前記並進チャンバの上端壁の中にはバネ溝が二つ設けられ、前記バネ溝の内部には下端が並進チャンバの内部に位置している連結ブロックが設けられ、前記バネ溝の内部には前記連結ブロックをリセットさせることができる伸縮バネが設けられ、前記連結ブロックの下端には円柱が設けられ、前記並進チャンバの内部には上端が前記収納溝の中に位置しており、且つ前記二つの前記円柱を移動させることができる押圧ロッドが設けられ、前記貯水チャンバの両側端壁の中には泡を生じ、前記貯水チャンバの中のお茶を撹拌する撹拌機構がいずれも設けられ、前記撹拌機構は液圧チャンバと前記液圧チャンバの中に位置している液圧ブロックを含み、前記液圧チャンバの上下端壁にはいずれも位置制限ブロックが固定的に連結され、前記液圧ブロックの一端には前記位置制限ブロックと連結され、且つ前記液圧ブロック７をリセットさせることができる液圧バネが固定され、前記位置制限ブロックの両側には従動板とスライドプレートがそれぞれ設けられ、前記従動板の一端には一端が前記スライドプレートを貫通する従動棒が固定され、前記従動棒の右端には前記スライドプレートの移動を制限するリミットプレートが設けられ、前記従動板の右端には一端が前記位置制限ブロックと連結される従動バネが設けられ、前記位置制限ブロックの内部には伸縮溝が設けられ、前記伸縮溝の内部には一端が前記スライドプレートと連結する連結棒が設けられ、前記伸縮溝の内部には前記連結棒をリセットさせることができる戻しバネも設けられ、装置の作用は前記ストローを利用するとき、前記液圧ブロックの移動をコントロールすることを通し、前記貯水チャンバの内部に泡を生じさせ、お茶を撹拌することを特徴とする多機能コップ。
【請求項２】
前記ロック機構が収納溝の前後端壁の中に位置している突き出し溝を含み、前記突き出し溝の内部には前記台形ブロックを制限できる突き出しブロックが設けられ、前記突き出し溝の内部には前記突き出しブロックをリセットさせることができる突き出しバネが設けられ、前記収納溝の上端壁の中にはバネチャンバが設けられ、前記バネチャンバの内部にはバネ板と前記バネ板に固定的に連結するバネ柱が設けられ、前記バネ柱の上端が外部空間に位置しており、下端が収納溝の中に位置しており、前記バネチャンバの内部には前記バネ板をリセットさせることができる引っ張りバネが二つ設けられ、前記ロック機構の作用は前記ロックブロックを前記収納溝の中に制限し、前記移動板を移動できるようにさせることを特徴とする請求項１に記載の多機能コップ。
【請求項３】
前記撹拌機構がまた二つの昇降チャンバと、前記昇降チャンバの中に位置している昇降板を含み、前記昇降板の上端には前記昇降板をリセットさせることができる昇降バネが二つ設けられ、前記昇降板の上端には上端が前記重い物が下がるときに前記重い物と接触する昇降棒が設けられ、前記昇降チャンバの下端壁の中には前記液圧チャンバを連通する液圧パイプが設けられ、前記液圧チャンバの下端壁の中には外部空間を連通する換気パイプが設けられ、前記コップ本体の内部には前記換気パイプを貫通する従動チャンバが設けられ、前記従動チャンバの片側端壁には前記液圧チャンバを連通する伝動チャンバが設けられ、前記伝動チャンバの内部には伝動ブロックが設けられ、前記伝動ブロックの一端には一端が前記従動チャンバの中に位置している伝動板が設けられ、前記伝動板の一端には前記伝動板をリセットさせることができる伝動バネが設けられ、前記伝動板の内部には貫通孔が設けられ、前記伝動ブロックの内部には上方に開口した昇降溝が設けられ、前記昇降溝の内部には台形棒と前記台形棒をリセットさせることができる上昇バネが設けられ、前記液圧ブロックの内部には下方に開口した制限溝が設けられ、前記撹拌機構の作用は前記液圧ブロックの移動のをコントロールすることを通し、前記貯水チャンバの中に泡を生じさせ、お茶を撹拌することを特徴とする請求項１に記載の多機能コップ。
【発明の詳細な説明】
【技術分野】
【０００１】
本発明はコップ分野に関し、具体的には多機能コップである。
【背景技術】
【０００２】
現段階には、お茶を茶碗に注ぎ、しばらく静置した後、お茶が上下層に分けやすい。そのため、お茶の上下層は異なる味があり、飲む人の体験に影響を与え、お茶の味に悪い影響を与える。
【先行技術文献】
【特許文献】
【０００３】
【特許文献１】中国特許出願公開第１０９２８８３５０号明細書
【発明の概要】
【発明が解決しようとする課題】
【０００４】
本発明は多機能コップを提供し、既存技術にある上記の欠点を解消することを目的とする。
【課題を解決するための手段】
【０００５】
上記の目的を実現するため、本発明は下記の技術策を提供する：多機能コップは、コップ本体とコップ蓋を含み、前記コップ本体の内部にはお茶を蓄える貯水チャンバが設けられ、前記コップ蓋の内部には上方に開口した移動溝が設けられ、前記移動溝の内部には下端が前記貯水チャンバの内部に位置しているストローが設けられ、前記移動溝の左端壁の中には上方に開口した移動チャンバが設けられ、前記移動溝の内部には左端が前記移動チャンバの内部に位置しており、また前記移動溝を封ずることができる移動板が設けられ、前記移動チャンバの内部には前記移動板をリセットさせる移動バネが設けられ、前記コップ蓋の内部には下方に開口した昇降溝が二つ設けられ、前記昇降溝の内部には重い物が設けられ、前記重い物の上端には前記移動板の左端に連結されており、且つ前記移動板にコントロールされるロープが設けられ、前記コップ蓋の内部には前記移動板の右端をロックするロック機構が設けられ、前記ロック機構は収納溝と前記収納溝の内部に位置しており、且つ片端が前記移動板と連結するロックブロックを含み、前記ロックブロックの前後端面にはいずれも台形ブロックが固定的に連結され、前記ロックブロックの内部には前記ロックブロックの前後端壁を貫通する並進チャンバが設けられ、前記並進チャンバの上端壁の中にはバネ溝が二つ設けられ、前記バネ溝の内部には下端が並進チャンバの内部に位置している連結ブロックが設けられ、前記バネ溝の内部には前記連結ブロックをリセットさせることができる伸縮バネが設けられ、前記連結ブロックの下端には円柱が設けられ、前記並進チャンバの内部には上端が前記収納溝の中に位置しており、且つ前記二つの前記円柱を移動させることができる押圧ロッドが設けられ、前記貯水チャンバの両側端壁の中には泡を生じ、前記貯水チャンバの中のお茶を撹拌する撹拌機構がいずれも設けられ、前記撹拌機構は液圧チャンバと前記液圧チャンバの中に位置している液圧ブロックを含み、前記液圧チャンバの上下端壁にはいずれも位置制限ブロックが固定的に連結され、前記液圧ブロックの一端には前記位置制限ブロックと連結され、且つ前記液圧ブロックをリセットさせることができる液圧バネが固定され、前記位置制限ブロックの両側には従動板とスライドプレートがそれぞれ設けられ、前記従動板の一端には一端が前記スライドプレートを貫通する従動棒が固定され、前記従動棒の右端には前記スライドプレートの移動を制限するリミットプレートが設けられ、前記従動板の右端には一端が前記位置制限ブロックと連結される従動バネが設けられ、前記位置制限ブロックの内部には伸縮溝が設けられ、前記伸縮溝の内部には一端が前記スライドプレートと連結する連結棒が設けられ、前記伸縮溝の内部には前記連結棒をリセットさせることができる戻しバネも設けられ、装置の作用は前記ストローを利用するとき、前記液圧ブロックの移動をコントロールすることを通し、前記貯水チャンバの内部に泡を生じさせ、お茶を撹拌することである。
【０００６】
有益的には、前記ロック機構が収納溝の前後端壁の中に位置している突き出し溝を含み、前記突き出し溝の内部には前記台形ブロックを制限できる突き出しブロックが設けられ、前記突き出し溝の内部には前記突き出しブロックをリセットさせることができる突き出しバネが設けられ、前記収納溝の上端壁の中にはバネチャンバが設けられ、前記バネチャンバの内部にはバネ板と前記バネ板に固定的に連結するバネ柱が設けられ、前記バネ柱の上端が外部空間に位置しており、下端が収納溝の中に位置しており、前記バネチャンバの内部には前記バネ板をリセットさせることができる引っ張りバネが二つ設けられ、前記ロック機構の作用は前記ロックブロックを前記収納溝の中に制限し、前記移動板を移動できるようにさせることである。
【０００７】
有益的には、前記撹拌機構がまた二つの昇降チャンバと、前記昇降チャンバの中に位置している昇降板を含み、前記昇降板の上端には前記昇降板をリセットさせることができる昇降バネが二つ設けられ、前記昇降板の上端には上端が前記重い物が下がるときに前記重い物と接触する昇降棒が設けられ、前記昇降チャンバの下端壁の中には前記液圧チャンバを連通する液圧パイプが設けられ、前記液圧チャンバの下端壁の中には外部空間を連通する換気パイプが設けられ、前記コップ本体の内部には前記換気パイプを貫通する従動チャンバが設けられ、前記従動チャンバの片側端壁には前記液圧チャンバを連通する伝動チャンバが設けられ、前記伝動チャンバの内部には伝動ブロックが設けられ、前記伝動ブロックの一端には一端が前記従動チャンバの中に位置している伝動板が設けられ、前記伝動板の一端には前記伝動板をリセットさせることができる伝動バネが設けられ、前記伝動板の内部には貫通孔が設けられ、前記伝動ブロックの内部には上方に開口した昇降溝が設けられ、前記昇降溝の内部には台形棒と前記台形棒をリセットさせることができる上昇バネが設けられ、前記液圧ブロックの内部には下方に開口した制限溝が設けられ、前記撹拌機構の作用は前記液圧ブロックの移動のをコントロールすることを通し、前記貯水チャンバの中に泡を生じさせ、お茶を撹拌することである。
【発明の効果】
【０００８】
本発明の有益な効果は：本装置の構造が簡単であり、操作が便利であり、お茶を飲むとき装置が自動的にコップの中のお茶を均一に撹拌し、お茶の上下層を均一にかき混ぜ、お茶の味が影響を受けないように確保し、またストローを使うことによりお茶を飲むことには更に便利である。
【図面の簡単な説明】
【０００９】
【図１】図１は本発明の多機能コップの全断面の正面構造略図
【図２】図２は本発明の多機能コップのロック機構の全断面の正面拡大構造略図
【図３】図３は本発明の多機能コップのロック機構の全断面の左面拡大構造略図
【図４】図４は本発明の多機能コップの撹拌機構の伝動チャンバの全断面の正面拡大略図
【図５】図５は本発明の多機能コップの撹拌機構の位置制限ブロックの全断面の正面拡大略図
【発明を実施するための形態】
【００１０】
本説明書における公開したあらゆる特徴あるいは公開したあらゆる方法と過程でのステップは、お互いに反発する特徴とステープを除き、どの方式でも組み合わせる。
【００１１】
図１〜５を参照し、本発明の提供している実施例：多機能コップは、コップ本体２４とコップ蓋１を含み、前記コップ本体２４の内部にはお茶を蓄える貯水チャンバ２５が設けられ、前記コップ蓋１の内部には上方に開口した移動溝２６が設けられ、前記移動溝２６の内部には下端が前記貯水チャンバ２５の内部に位置しているストロー２７が設けられ、前記移動溝２６の左端壁の中には上方に開口した移動チャンバ３１が設けられ、前記移動溝２６の内部には左端が前記移動チャンバ３１の内部に位置しており、また前記移動溝２６を封ずることができる移動板２８が設けられ、前記移動チャンバ３１の内部には前記移動板２８をリセットさせる移動バネ３０が設けられ、前記コップ蓋１の内部には下方に開口した昇降溝３３が二つ設けられ、前記昇降溝３３の内部には重い物３２が設けられ、前記重い物３２の上端には前記移動板２８の左端に連結されており、且つ前記移動板２８にコントロールされるロープ２９が設けられ、前記コップ蓋１の内部には前記移動板２８の右端をロックするロック機構３４が設けられ、前記ロック機構３４は収納溝４３と前記収納溝４３の内部に位置しており、且つ片端が前記移動板２８と連結するロックブロック４４を含み、前記ロックブロック４４の前後端面にはいずれも台形ブロック４１が固定的に連結され、前記ロックブロック４４の内部には前記ロックブロック４４の前後端壁を貫通する並進チャンバ４０が設けられ、前記並進チャンバ４０の上端壁の中にはバネ溝４９が二つ設けられ、前記バネ溝４９の内部には下端が並進チャンバ４０の内部に位置している連結ブロック４８が設けられ、前記バネ溝４９の内部には前記連結ブロック４８をリセットさせることができる伸縮バネ５０が設けられ、前記連結ブロック４８の下端には円柱４２が設けられ、前記並進チャンバ４０の内部には上端が前記収納溝４３の中に位置しており、且つ前記二つの前記円柱４２を移動させることができる押圧ロッド３９が設けられ、前記貯水チャンバ２５の両側端壁の中には泡を生じ、前記貯水チャンバ２５の中のお茶を撹拌する撹拌機構３がいずれも設けられ、前記撹拌機構３は液圧チャンバ８と前記液圧チャンバ８の中に位置している液圧ブロック７を含み、前記液圧チャンバ８の上下端壁にはいずれも位置制限ブロック１４が固定的に連結され、前記液圧ブロック７の一端には前記位置制限ブロック１４と連結され、且つ前記液圧ブロック７をリセットさせることができる液圧バネ９が固定され、前記位置制限ブロック１４の両側には従動板１０とスライドプレート１３がそれぞれ設けられ、前記従動板１０の一端には一端が前記スライドプレート１３を貫通する従動棒１２が固定され、前記従動棒１２の右端には前記スライドプレート１３の移動を制限するリミットプレート１１が設けられ、前記従動板１０の右端には一端が前記位置制限ブロック１４と連結される従動バネ１５が設けられ、前記位置制限ブロック１４の内部には伸縮溝５５が設けられ、前記伸縮溝５５の内部には一端が前記スライドプレート１３と連結する連結棒５４が設けられ、前記伸縮溝５５の内部には前記連結棒５４をリセットさせることができる戻しバネ５６も設けられ、装置の作用は前記ストロー２７を利用するとき、前記液圧ブロック７の移動をコントロールすることを通し、前記貯水チャンバ２５の内部に泡を生じさせ、お茶を撹拌することである。
【００１２】
有益的には、前記ロック機構３４が収納溝４３の前後端壁の中に位置している突き出し溝４５を含み、前記突き出し溝４５の内部には前記台形ブロック４１を制限できる突き出しブロック４７が設けられ、前記突き出し溝４５の内部には前記突き出しブロック４７をリセットさせることができる突き出しバネ４６が設けられ、前記収納溝４３の上端壁の中にはバネチャンバ３７が設けられ、前記バネチャンバ３７の内部にはバネ板３６と前記バネ板３６に固定的に連結するバネ柱３８が設けられ、前記バネ柱３８の上端が外部空間に位置しており、下端が収納溝４３の中に位置しており、前記バネチャンバ３７の内部には前記バネ板３６をリセットさせることができる引っ張りバネ３５が二つ設けられ、前記ロック機構３４の作用は前記ロックブロック４４を前記収納溝４３の中に制限し、前記移動板２８を移動できるようにさせることである。
【００１３】
有益的には、前記撹拌機構３がまた二つの昇降チャンバ６と、前記昇降チャンバ６の中に位置している昇降板５を含み、前記昇降板５の上端には前記昇降板５をリセットさせることができる昇降バネ４が二つ設けられ、前記昇降板５の上端には上端が前記重い物３２が下がるときに前記重い物３２と接触する昇降棒２が設けられ、前記昇降チャンバ６の下端壁の中には前記液圧チャンバ８を連通する液圧パイプ５７が設けられ、前記液圧チャンバ８の下端壁の中には外部空間を連通する換気パイプ１９が設けられ、前記コップ本体２４の内部には前記換気パイプ１９を貫通する従動チャンバ２０が設けられ、前記従動チャンバ２０の片側端壁には前記液圧チャンバ８を連通する伝動チャンバ２２が設けられ、前記伝動チャンバ２２の内部には伝動ブロック２１が設けられ、前記伝動ブロック２１の一端には一端が前記従動チャンバ２０の中に位置している伝動板１７が設けられ、前記伝動板１７の一端には前記伝動板１７をリセットさせることができる伝動バネ１６が設けられ、前記伝動板１７の内部には貫通孔１８が設けられ、前記伝動ブロック２１の内部には上方に開口した昇降溝５１が設けられ、前記昇降溝５１の内部には台形棒５２と前記台形棒５２をリセットさせることができる上昇バネ５３が設けられ、前記液圧ブロック７の内部には下方に開口した制限溝２３が設けられ、前記撹拌機構３の作用は前記液圧ブロック７の移動をコントロールすることを通し、前記貯水チャンバ２５の中に泡を生じさせ、お茶を撹拌することである。
【００１４】
下記には、付図１〜５を参考し、及び前記説明した本出願の多機能コップの具体的な組み合わせを参考し本出願の多機能コップの使い方を詳しく説明する：
【００１５】
バネ柱３８を下に押し、バネ板３６と押圧ロッド３９を下に運動させ、二つの円柱４２を運動させ、突き出しブロック４７を突き出し溝４５に突き戻し、台形ブロック４１制限されなくなり、移動板２８が移動バネ３０の作用で左に移動し、移動溝２６を開け、ストロー２７の上端を外部空間に位置させ、移動板２８の運動によりロープ２９がゆるくなり、重い物３２が下がり、昇降棒２と昇降板５を下に移動連動させ、それにより液圧ブロック７を運動させ、液圧ブロック７の運動とともに液圧ブロック７の片側の気体が圧縮され、それによりスライドプレート１３と、リミットプレート１１と、従動棒１２と、従動板１０を右に運動させ、戻しバネ５６が伸び、それにより気体が貯水チャンバ２５に入り、泡でお茶を撹拌し、液圧ブロック７の運動が止まるとき、台形棒５２の上端が制限溝２３の中に位置し、伝動板１７が前記換気パイプ１９を切断し、また戻しバネ５６がスライドプレート１３をリセット連動させ、液圧チャンバ８と貯水チャンバ２５のつながりを切る。
【００１６】
手動でロックブロック４４を再び制限させるとき、重い物３２が移動板２８とロープ２９の作用でリセットし、昇降板５と昇降棒２がリセットし、それにより液圧ブロック７をリセットさせ、液圧ブロック７の移動で伝動ブロック２１と台形棒５２を移動させ、伝動板１７を移動させ、貫通孔１８が換気パイプ１９を連通し、液圧ブロック７が移動する間に、液圧ブロック７と位置制限ブロック１４との間に再び空気が溢れ、伝動バネ１６をある程度に伸ばしたら、台形棒５２を昇降溝５１の中に戻させ、伝動板１７をリセットさせ、装置をリセットさせる。
【００１７】
本発明の有益な効果は：本装置の構造が簡単であり、操作が便利であり、お茶を飲むとき装置が自動的にコップの中のお茶を均一に撹拌し、お茶の上下層を均一にかき混ぜ、お茶の味が影響を受けないように確保し、またストローを使うことによりお茶を飲むことには更に便利である。
【００１８】
以上に述べたのはただ本発明の具体的な実施方式であり、しかし本発明の保護範囲はここに限らないである。全部の創造的な労働を通じなく思いついた変化と取替は本発明の保護範囲にカバーされる。したがって、本発明の保護範囲は権利要求書が限定される保護範囲を標準とする。
【図１】
2020171661.tif 000003
【図２】
2020171661.tif 000004
【図３】
2020171661.tif 000005
【図４】
2020171661.tif 000006
【図５】
2020171661.tif 000007
【手続補正書】
【提出日】令和1年8月26日(2019.8.26)
【手続補正１】
【補正対象書類名】特許請求の範囲
【補正対象項目名】全文
【補正方法】変更
【補正の内容】
【特許請求の範囲】
【請求項１】
コップ本体とコップ蓋を含み、前記コップ本体の内部にはお茶を蓄える貯水チャンバが設けられ、前記コップ蓋の内部には上方に開口した移動溝が設けられ、前記移動溝の内部には下端が前記貯水チャンバの内部に位置しているストローが設けられ、前記移動溝の左端壁の中には上方に開口した移動チャンバが設けられ、前記移動溝の内部には左端が前記移動チャンバの内部に位置しており、また前記移動溝を封ずることができる移動板が設けられ、前記移動チャンバの内部には前記移動板をリセットさせる移動バネが設けられ、前記コップ蓋の内部には下方に開口した昇降溝が二つ設けられ、前記昇降溝の内部には重い物が設けられ、前記重い物の上端には前記移動板の左端に連結されており、且つ前記移動板にコントロールされるロープが設けられ、前記コップ蓋の内部には前記移動板の右端をロックするロック機構が設けられ、前記ロック機構は収納溝と前記収納溝の内部に位置しており、且つ片端が前記移動板と連結するロックブロックを含み、前記ロックブロックの前後端面にはいずれも台形ブロックが固定的に連結され、前記ロックブロックの内部には前記ロックブロックの前後端壁を貫通する並進チャンバが設けられ、前記並進チャンバの上端壁の中にはバネ溝が二つ設けられ、前記バネ溝の内部には下端が並進チャンバの内部に位置している連結ブロックが設けられ、前記バネ溝の内部には前記連結ブロックをリセットさせることができる伸縮バネが設けられ、前記連結ブロックの下端には円柱が設けられ、前記並進チャンバの内部には上端が前記収納溝の中に位置しており、且つ前記二つの前記円柱を移動させることができる押圧ロッドが設けられ、前記貯水チャンバの両側端壁の中には泡を生じ、前記貯水チャンバの中のお茶を撹拌する撹拌機構がいずれも設けられ、前記撹拌機構は液圧チャンバと前記液圧チャンバの中に位置している液圧ブロックを含み、前記液圧チャンバの上下端壁にはいずれも位置制限ブロックが固定的に連結され、前記液圧ブロックの一端には前記位置制限ブロックと連結され、且つ前記液圧ブロック７をリセットさせることができる液圧バネが固定され、前記位置制限ブロックの両側には従動板とスライドプレートがそれぞれ設けられ、前記従動板の一端には一端が前記スライドプレートを貫通する従動棒が固定され、前記従動棒の右端には前記スライドプレートの移動を制限するリミットプレートが設けられ、前記従動板の右端には一端が前記位置制限ブロックと連結される従動バネが設けられ、前記位置制限ブロックの内部には伸縮溝が設けられ、前記伸縮溝の内部には一端が前記スライドプレートと連結する連結棒が設けられ、前記伸縮溝の内部には前記連結棒をリセットさせることができる戻しバネも設けられ、
前記ロック機構が収納溝の前後端壁の中に位置している突き出し溝を含み、前記突き出し溝の内部には前記台形ブロックを制限できる突き出しブロックが設けられ、前記突き出し溝の内部には前記突き出しブロックをリセットさせることができる突き出しバネが設けられ、前記収納溝の上端壁の中にはバネチャンバが設けられ、前記バネチャンバの内部にはバネ板と前記バネ板に固定的に連結するバネ柱が設けられ、前記バネ柱の上端が外部空間に位置しており、下端が収納溝の中に位置しており、前記バネチャンバの内部には前記バネ板をリセットさせることができる引っ張りバネが二つ設けられ、前記ロック機構の作用は前記ロックブロックを前記収納溝の中に制限し、前記移動板を移動できるようにさせ、
前記撹拌機構がまた二つの昇降チャンバと、前記昇降チャンバの中に位置している昇降板を含み、前記昇降板の上端には前記昇降板をリセットさせることができる昇降バネが二つ設けられ、前記昇降板の上端には上端が前記重い物が下がるときに前記重い物と接触する昇降棒が設けられ、前記昇降チャンバの下端壁の中には前記液圧チャンバを連通する液圧パイプが設けられ、前記液圧チャンバの下端壁の中には外部空間を連通する換気パイプが設けられ、前記コップ本体の内部には前記換気パイプを貫通する従動チャンバが設けられ、前記従動チャンバの片側端壁には前記液圧チャンバを連通する伝動チャンバが設けられ、前記伝動チャンバの内部には伝動ブロックが設けられ、前記伝動ブロックの一端には一端が前記従動チャンバの中に位置している伝動板が設けられ、前記伝動板の一端には前記伝動板をリセットさせることができる伝動バネが設けられ、前記伝動板の内部には貫通孔が設けられ、前記伝動ブロックの内部には上方に開口した昇降溝が設けられ、前記昇降溝の内部には台形棒と前記台形棒をリセットさせることができる上昇バネが設けられ、前記液圧ブロックの内部には下方に開口した制限溝が設けられており、
前記バネ柱を下に押し、前記バネ板と前記押圧ロッドを下に運動させ、二つの前記円柱を運動させ、前記突き出しブロックを前記突き出し溝に突き戻し、前記台形ブロックが制限されなくなり、前記移動板が前記移動バネの作用で左に移動し、前記移動溝を開け、前記ストローの上端を外部空間に位置させ、前記移動板の運動により前記ロープがゆるくなり、前記重い物が下がり、前記昇降棒と前記昇降板を下に移動連動させ、それにより前記液圧ブロックを運動させ、前記液圧ブロックの運動とともに前記液圧ブロックの片側の気体が圧縮され、それにより前記スライドプレートと、前記リミットプレートと、前記従動棒と、前記従動板を右に運動させ、前記戻しバネが伸び、それにより気体が前記貯水チャンバに入り、泡でお茶を撹拌し、前記液圧ブロックの運動が止まるとき、前記台形棒の上端が前記制限溝の中に位置し、前記伝動板が前記換気パイプを切断し、また前記戻しバネが前記スライドプレートをリセット連動させ、前記液圧チャンバと前記貯水チャンバのつながりを切り、
手動で前記ロックブロックを再び制限させるとき、前記重い物が前記移動板と前記ロープの作用でリセットし、前記昇降板と前記昇降棒がリセットし、それにより前記液圧ブロックをリセットさせ、前記液圧ブロックの移動で前記伝動ブロックと前記台形棒を移動させ、前記伝動板を移動させ、前記貫通孔が前記換気パイプを連通し、前記液圧ブロックが移動する間に、前記液圧ブロックと前記位置制限ブロックとの間に再び空気が溢れ、前記伝動バネをある程度に伸ばしたら、前記台形棒を前記昇降溝の中に戻させ、前記伝動板をリセットさせ、本願発明をリセットさせることを特徴とする多機能コップ。
【手続補正２】
【補正対象書類名】明細書
【補正対象項目名】全文
【補正方法】変更
【補正の内容】
【発明の詳細な説明】
【技術分野】
【０００１】
本発明はコップ分野に関し、具体的には多機能コップである。
【背景技術】
【０００２】
現段階には、お茶を茶碗に注ぎ、しばらく静置した後、お茶が上下層に分けやすい。そのため、お茶の上下層は異なる味があり、飲む人の体験に影響を与え、お茶の味に悪い影響を与える。
【先行技術文献】
【特許文献】
【０００３】
【特許文献１】中国特許出願公開第１０９２８８３５０号明細書
【発明の概要】
【発明が解決しようとする課題】
【０００４】
本発明は多機能コップを提供し、既存技術にある上記の欠点を解消することを目的とする。
【課題を解決するための手段】
【０００５】
上記の目的を実現するため、本発明は下記の技術策を提供する：多機能コップは、コップ本体とコップ蓋を含み、前記コップ本体の内部にはお茶を蓄える貯水チャンバが設けられ、前記コップ蓋の内部には上方に開口した移動溝が設けられ、前記移動溝の内部には下端が前記貯水チャンバの内部に位置しているストローが設けられ、前記移動溝の左端壁の中には上方に開口した移動チャンバが設けられ、前記移動溝の内部には左端が前記移動チャンバの内部に位置しており、また前記移動溝を封ずることができる移動板が設けられ、前記移動チャンバの内部には前記移動板をリセットさせる移動バネが設けられ、前記コップ蓋の内部には下方に開口した昇降溝が二つ設けられ、前記昇降溝の内部には重い物が設けられ、前記重い物の上端には前記移動板の左端に連結されており、且つ前記移動板にコントロールされるロープが設けられ、前記コップ蓋の内部には前記移動板の右端をロックするロック機構が設けられ、前記ロック機構は収納溝と前記収納溝の内部に位置しており、且つ片端が前記移動板と連結するロックブロックを含み、前記ロックブロックの前後端面にはいずれも台形ブロックが固定的に連結され、前記ロックブロックの内部には前記ロックブロックの前後端壁を貫通する並進チャンバが設けられ、前記並進チャンバの上端壁の中にはバネ溝が二つ設けられ、前記バネ溝の内部には下端が並進チャンバの内部に位置している連結ブロックが設けられ、前記バネ溝の内部には前記連結ブロックをリセットさせることができる伸縮バネが設けられ、前記連結ブロックの下端には円柱が設けられ、前記並進チャンバの内部には上端が前記収納溝の中に位置しており、且つ前記二つの前記円柱を移動させることができる押圧ロッドが設けられ、前記貯水チャンバの両側端壁の中には泡を生じ、前記貯水チャンバの中のお茶を撹拌する撹拌機構がいずれも設けられ、前記撹拌機構は液圧チャンバと前記液圧チャンバの中に位置している液圧ブロックを含み、前記液圧チャンバの上下端壁にはいずれも位置制限ブロックが固定的に連結され、前記液圧ブロックの一端には前記位置制限ブロックと連結され、且つ前記液圧ブロックをリセットさせることができる液圧バネが固定され、前記位置制限ブロックの両側には従動板とスライドプレートがそれぞれ設けられ、前記従動板の一端には一端が前記スライドプレートを貫通する従動棒が固定され、前記従動棒の右端には前記スライドプレートの移動を制限するリミットプレートが設けられ、前記従動板の右端には一端が前記位置制限ブロックと連結される従動バネが設けられ、前記位置制限ブロックの内部には伸縮溝が設けられ、前記伸縮溝の内部には一端が前記スライドプレートと連結する連結棒が設けられ、前記伸縮溝の内部には前記連結棒をリセットさせることができる戻しバネも設けられている。
【０００６】
有益的には、前記ロック機構が収納溝の前後端壁の中に位置している突き出し溝を含み、前記突き出し溝の内部には前記台形ブロックを制限できる突き出しブロックが設けられ、前記突き出し溝の内部には前記突き出しブロックをリセットさせることができる突き出しバネが設けられ、前記収納溝の上端壁の中にはバネチャンバが設けられ、前記バネチャンバの内部にはバネ板と前記バネ板に固定的に連結するバネ柱が設けられ、前記バネ柱の上端が外部空間に位置しており、下端が収納溝の中に位置しており、前記バネチャンバの内部には前記バネ板をリセットさせることができる引っ張りバネが二つ設けられ、前記ロック機構の作用は前記ロックブロックを前記収納溝の中に制限し、前記移動板を移動できるようにさせることである。
【０００７】
有益的には、前記撹拌機構がまた二つの昇降チャンバと、前記昇降チャンバの中に位置している昇降板を含み、前記昇降板の上端には前記昇降板をリセットさせることができる昇降バネが二つ設けられ、前記昇降板の上端には上端が前記重い物が下がるときに前記重い物と接触する昇降棒が設けられ、前記昇降チャンバの下端壁の中には前記液圧チャンバを連通する液圧パイプが設けられ、前記液圧チャンバの下端壁の中には外部空間を連通する換気パイプが設けられ、前記コップ本体の内部には前記換気パイプを貫通する従動チャンバが設けられ、前記従動チャンバの片側端壁には前記液圧チャンバを連通する伝動チャンバが設けられ、前記伝動チャンバの内部には伝動ブロックが設けられ、前記伝動ブロックの一端には一端が前記従動チャンバの中に位置している伝動板が設けられ、前記伝動板の一端には前記伝動板をリセットさせることができる伝動バネが設けられ、前記伝動板の内部には貫通孔が設けられ、前記伝動ブロックの内部には上方に開口した昇降溝が設けられ、前記昇降溝の内部には台形棒と前記台形棒をリセットさせることができる上昇バネが設けられ、前記液圧ブロックの内部には下方に開口した制限溝が設けられている。
【発明の効果】
【０００８】
本発明の有益な効果は：本装置の構造が簡単であり、操作が便利であり、お茶を飲むとき装置が自動的にコップの中のお茶を均一に撹拌し、お茶の上下層を均一にかき混ぜ、お茶の味が影響を受けないように確保し、またストローを使うことによりお茶を飲むことには更に便利である。
【図面の簡単な説明】
【０００９】
【図１】図１は本発明の多機能コップの全断面の正面構造略図
【図２】図２は本発明の多機能コップのロック機構の全断面の正面拡大構造略図
【図３】図３は本発明の多機能コップのロック機構の全断面の左面拡大構造略図
【図４】図４は本発明の多機能コップの撹拌機構の伝動チャンバの全断面の正面拡大    略図
【図５】図５は本発明の多機能コップの撹拌機構の位置制限ブロックの全断面の正面    拡大略図
【発明を実施するための形態】
【００１０】
本説明書における公開したあらゆる特徴あるいは公開したあらゆる方法と過程でのステップは、お互いに反発する特徴とステープを除き、どの方式でも組み合わせる。
【００１１】
図１〜５を参照し、本発明の提供している実施例：多機能コップは、コップ本体２４とコップ蓋１を含み、前記コップ本体２４の内部にはお茶を蓄える貯水チャンバ２５が設けられ、前記コップ蓋１の内部には上方に開口した移動溝２６が設けられ、前記移動溝２６の内部には下端が前記貯水チャンバ２５の内部に位置しているストロー２７が設けられ、前記移動溝２６の左端壁の中には上方に開口した移動チャンバ３１が設けられ、前記移動溝２６の内部には左端が前記移動チャンバ３１の内部に位置しており、また前記移動溝２６を封ずることができる移動板２８が設けられ、前記移動チャンバ３１の内部には前記移動板２８をリセットさせる移動バネ３０が設けられ、前記コップ蓋１の内部には下方に開口した昇降溝３３が二つ設けられ、前記昇降溝３３の内部には重い物３２が設けられ、前記重い物３２の上端には前記移動板２８の左端に連結されており、且つ前記移動板２８にコントロールされるロープ２９が設けられ、前記コップ蓋１の内部には前記移動板２８の右端をロックするロック機構３４が設けられ、前記ロック機構３４は収納溝４３と前記収納溝４３の内部に位置しており、且つ片端が前記移動板２８と連結するロックブロック４４を含み、前記ロックブロック４４の前後端面にはいずれも台形ブロック４１が固定的に連結され、前記ロックブロック４４の内部には前記ロックブロック４４の前後端壁を貫通する並進チャンバ４０が設けられ、前記並進チャンバ４０の上端壁の中にはバネ溝４９が二つ設けられ、前記バネ溝４９の内部には下端が並進チャンバ４０の内部に位置している連結ブロック４８が設けられ、前記バネ溝４９の内部には前記連結ブロック４８をリセットさせることができる伸縮バネ５０が設けられ、前記連結ブロック４８の下端には円柱４２が設けられ、前記並進チャンバ４０の内部には上端が前記収納溝４３の中に位置しており、且つ前記二つの前記円柱４２を移動させることができる押圧ロッド３９が設けられ、前記貯水チャンバ２５の両側端壁の中には泡を生じ、前記貯水チャンバ２５の中のお茶を撹拌する撹拌機構３がいずれも設けられ、前記撹拌機構３は液圧チャンバ８と前記液圧チャンバ８の中に位置している液圧ブロック７を含み、前記液圧チャンバ８の上下端壁にはいずれも位置制限ブロック１４が固定的に連結され、前記液圧ブロック７の一端には前記位置制限ブロック１４と連結され、且つ前記液圧ブロック７をリセットさせることができる液圧バネ９が固定され、前記位置制限ブロック１４の両側には従動板１０とスライドプレート１３がそれぞれ設けられ、前記従動板１０の一端には一端が前記スライドプレート１３を貫通する従動棒１２が固定され、前記従動棒１２の右端には前記スライドプレート１３の移動を制限するリミットプレート１１が設けられ、前記従動板１０の右端には一端が前記位置制限ブロック１４と連結される従動バネ１５が設けられ、前記位置制限ブロック１４の内部には伸縮溝５５が設けられ、前記伸縮溝５５の内部には一端が前記スライドプレート１３と連結する連結棒５４が設けられ、前記伸縮溝５５の内部には前記連結棒５４をリセットさせることができる戻しバネ５６も設けられている。
【００１２】
有益的には、前記ロック機構３４が収納溝４３の前後端壁の中に位置している突き出し溝４５を含み、前記突き出し溝４５の内部には前記台形ブロック４１を制限できる突き出しブロック４７が設けられ、前記突き出し溝４５の内部には前記突き出しブロック４７をリセットさせることができる突き出しバネ４６が設けられ、前記収納溝４３の上端壁の中にはバネチャンバ３７が設けられ、前記バネチャンバ３７の内部にはバネ板３６と前記バネ板３６に固定的に連結するバネ柱３８が設けられ、前記バネ柱３８の上端が外部空間に位置しており、下端が収納溝４３の中に位置しており、前記バネチャンバ３７の内部には前記バネ板３６をリセットさせることができる引っ張りバネ３５が二つ設けられ、前記ロック機構３４の作用は前記ロックブロック４４を前記収納溝４３の中に制限し、前記移動板２８を移動できるようにさせることである。
【００１３】
有益的には、前記撹拌機構３がまた二つの昇降チャンバ６と、前記昇降チャンバ６の中に位置している昇降板５を含み、前記昇降板５の上端には前記昇降板５をリセットさせることができる昇降バネ４が二つ設けられ、前記昇降板５の上端には上端が前記重い物３２が下がるときに前記重い物３２と接触する昇降棒２が設けられ、前記昇降チャンバ６の下端壁の中には前記液圧チャンバ８を連通する液圧パイプ５７が設けられ、前記液圧チャンバ８の下端壁の中には外部空間を連通する換気パイプ１９が設けられ、前記コップ本体２４の内部には前記換気パイプ１９を貫通する従動チャンバ２０が設けられ、前記従動チャンバ２０の片側端壁には前記液圧チャンバ８を連通する伝動チャンバ２２が設けられ、前記伝動チャンバ２２の内部には伝動ブロック２１が設けられ、前記伝動ブロック２１の一端には一端が前記従動チャンバ２０の中に位置している伝動板１７が設けられ、前記伝動板１７の一端には前記伝動板１７をリセットさせることができる伝動バネ１６が設けられ、前記伝動板１７の内部には貫通孔１８が設けられ、前記伝動ブロック２１の内部には上方に開口した昇降溝５１が設けられ、前記昇降溝５１の内部には台形棒５２と前記台形棒５２をリセットさせることができる上昇バネ５３が設けられ、前記液圧ブロック７の内部には下方に開口した制限溝２３が設けられている。
【００１４】
下記には、付図１〜５を参考し、及び前記説明した本出願の多機能コップの具体的な組み合わせを参考し本出願の多機能コップの使い方を詳しく説明する：
【００１５】
バネ柱３８を下に押し、バネ板３６と押圧ロッド３９を下に運動させ、二つの円柱４２を運動させ、突き出しブロック４７を突き出し溝４５に突き戻し、台形ブロック４１が制限されなくなり、移動板２８が移動バネ３０の作用で左に移動し、移動溝２６を開け、ストロー２７の上端を外部空間に位置させ、移動板２８の運動によりロープ２９がゆるくなり、重い物３２が下がり、昇降棒２と昇降板５を下に移動連動させ、それにより液圧ブロック７を運動させ、液圧ブロック７の運動とともに液圧ブロック７の片側の気体が圧縮され、それによりスライドプレート１３と、リミットプレート１１と、従動棒１２と、従動板１０を右に運動させ、戻しバネ５６が伸び、それにより気体が貯水チャンバ２５に入り、泡でお茶を撹拌し、液圧ブロック７の運動が止まるとき、台形棒５２の上端が制限溝２３の中に位置し、伝動板１７が前記換気パイプ１９を切断し、また戻しバネ５６がスライドプレート１３をリセット連動させ、液圧チャンバ８と貯水チャンバ２５のつながりを切る。
【００１６】
手動でロックブロック４４を再び制限させるとき、重い物３２が移動板２８とロープ２９の作用でリセットし、昇降板５と昇降棒２がリセットし、それにより液圧ブロック７をリセットさせ、液圧ブロック７の移動で伝動ブロック２１と台形棒５２を移動させ、伝動板１７を移動させ、貫通孔１８が換気パイプ１９を連通し、液圧ブロック７が移動する間に、液圧ブロック７と位置制限ブロック１４との間に再び空気が溢れ、伝動バネ１６をある程度に伸ばしたら、台形棒５２を昇降溝５１の中に戻させ、伝動板１７をリセットさせ、装置をリセットさせる。
【００１７】
本発明の有益な効果は：本装置の構造が簡単であり、操作が便利であり、お茶を飲むとき装置が自動的にコップの中のお茶を均一に撹拌し、お茶の上下層を均一にかき混ぜ、お茶の味が影響を受けないように確保し、またストローを使うことによりお茶を飲むことには更に便利である。
【００１８】
以上に述べたのはただ本発明の具体的な実施方式であり、しかし本発明の保護範囲はここに限らないである。全部の創造的な労働を通じなく思いついた変化と取替は本発明の保護範囲にカバーされる。したがって、本発明の保護範囲は権利要求書が限定される保護範囲を標準とする。